(57)【要約】【課題】永久磁石の減磁を効果的に抑制して、耐久性に優れて高品質な回転駆動をすることのできる電動回転機を提供すること。【解決手段】固定子１１は、回転子１２に対面する複数本のティース１５と、コイルをティースに巻き掛ける空間の複数のスロット１８とを有し、回転子には、ティースに磁気力を働かせる一対の永久磁石１６がＶ字に埋め込まれている電動回転機であって、固定子側の６つのスロットに対応する回転子側の一対の永久磁石側を１磁極としたときに、永久磁石で発生する減磁領域Ａ１に向かうコイルへの通電により発生する磁束の磁路途中に、磁気抵抗を大きくする磁気抵抗増大領域として、その１磁極中心のｄ軸から正逆方向の両側均等位置の５６°（電気角）を最深部２１ａとする調整溝２１がそのティースの対面幅になるように形成されている。【選択図】図６
2013162557.tif 000002
【特許請求の範囲】
【請求項１】
軸心の回転軸を一体回転させる回転子と、該回転子を回転自在に収容する固定子と、を備えて、
前記固定子は、前記回転子の周回回転する外周面に向かって延在して該外周面に内周面側を対面させる複数本のティース部と、駆動電力を入力するコイルを前記ティース部に巻き掛ける空間であって該ティース部間に形成される複数のスロットと、を有し、
前記回転子には、前記ティース部の対向面に磁気力を働かせるように複数の永久磁石が埋め込まれることにより、
前記コイルへの通電時に発生する磁束が、前記ティース部内、当該ティース部背面側および前記回転子内を通過することによるリラクタンストルクおよび前記永久磁石との間で働く吸引力または反発力のマグネットトルクにより前記固定子内の前記回転子を回転駆動させる電動回転機であって、
前記回転子側の１組の前記永久磁石と前記固定子側の１組の前記スロットとが対応する構成で、該１組の永久磁石側を１磁極としたときに、該１磁極毎の前記永久磁石で発生する減磁箇所に向かう前記コイルへの通電により発生する前記磁束の磁路途中に、磁気抵抗を大きくする磁気抵抗増大領域を形成することを特徴とする電動回転機。
【請求項２】
前記磁気抵抗増大領域として、前記回転子の前記ティース部に対面する外周面に、前記磁気抵抗を調整する調整溝が形成されていることを特徴とする請求項１に記載の電動回転機。
【請求項３】
前記回転子側には、当該外周面側に向かってＶ字型に開くように一対で前記１組の永久磁石を埋め込んで前記１磁極が構成され、
前記固定子側には、６つで前記１組のスロットが構成されており、
前記調整溝は、前記１磁極中心から両側に前記ティース部を１歯置いた両側均等の前記ティース部に対向する対面幅以内の幅で該ティース部と平行になるように形成されていることを特徴とする請求項２に記載の電動回転機。
【請求項４】
前記調整溝は、前記１磁極中心に対する両側均等の電気角５６°の位置が最深部となるように形成されていることを特徴とする請求項２または３に記載の電動回転機。
【請求項５】
前記ティース部の内周面と前記回転子の外周面との間の対面間隔Ｄ１と、前記調整溝の最深部の深さＦとが、
０．２≦Ｆ／Ｄ１≦０．４
の範囲内になるように形成されていることを特徴とする請求項２から４のいずれか１項に記載の電動回転機。
【請求項６】
前記磁気抵抗増大領域として、前記永久磁石を収容する空間を形成する内面と、当該永久磁石の外面との間に、前記磁気抵抗を調整する調整空隙が形成されていることを特徴とする請求項１に記載の電動回転機。
【請求項７】
前記回転子側には、当該外周面側に向かってＶ字型に開くように一対で前記１組の永久磁石を埋め込んで前記１磁極が構成され、
前記調整空隙は、前記回転子の外周面に近接する側に前記ティース部と平行になるように形成されていることを特徴とする請求項６に記載の電動回転機。
【発明の詳細な説明】
【技術分野】
【０００１】
本発明は、電動回転機に関し、詳しくは、耐久性の高い高品質な回転駆動を実現したものに関する。
【背景技術】
【０００２】
各種装置に搭載する電動回転機には、搭載装置に応じた特性が要求されることになり、例えば、駆動源として内燃機関と共にハイブリッド自動車（Hybrid  Electric  Vehicle）に搭載されたり、単独の駆動源として電気自動車（Electric  Vehicle）に搭載される、駆動用モータの場合には、低回転域で大トルクを発生するのと同時に、広い可変速特性を備えることが要求される。
【０００３】
このような特性を有する電動回転機としては、マグネットトルクと共に、リラクタンストルクを効果的に利用可能な構造を採用するのが有効であり、外周面側に向かって開くＶ字型になるように、磁力の強い永久磁石を回転子内に埋め込む、ＩＰＭ（Interior  Permanent  Magnet）構造を採用することが提案されている（例えば、特許文献１）。
特に、ハイブリッド自動車や電気自動車には、搭載空間の制約と共に、近年のエネルギ効率（燃費）の向上の要求に伴って、軽量化と同時に小型化による高エネルギ密度出力が可能な電動回転機が求められていることから、残留磁束密度の高いネオジム磁石（Neodymium  magnet）が埋め込み永久磁石として多用されている。
【０００４】
このネオジム磁石は、Ｎｄ−Ｆｅ−Ｂを主組成とする希土類（レアアース）磁石であり、高価であるとともに、保磁力が低く高温になると不可逆減磁をしてしまい耐熱性に問題がある。この問題を解消するために、ジスプロシウム（Ｄｙ）やテルビウム（Ｔｂ）を添加することにより保磁力を向上させることが検討されているが、これら添加材も極めて局所に偏在する稀少で高価な希土類であることから、コストが増加してしまうという課題がある。
【０００５】
このような課題を解決するために各種提案がなされており、例えば、材料的な観点から、ジスプロシウムやテルビウムに追加する添加剤と共に製造方法の検討をすることにより、高価なジスプロシウムやテルビウムの使用量を抑えつつ残留磁束密度の減少（不可逆減磁）を抑制するとともに、保磁力を増加させる高性能な結晶体磁石が提案されている（特許文献２）。
【０００６】
この材料的な改善以外にも構造的な観点からの改善の要望もあり、構造的な第１の改善としては、例えば、永久磁石を回転子の外周面側と内部側との２領域に区分けして、減磁され易い領域を含む回転子の外周面側を保磁力の高い高価な材料からなる領域にするとともに、内部側は通常の領域にすることにより、高価な材料の使用量を少なくしてコストの大幅な増加を防止することが提案されている（特許文献３）。しかしながら、減磁は、永久磁石における回転子の外周面側の両端側角部に生じる程度であり、保磁力を増加させる領域を永久磁石の片面全面側に設定する必要はなく、必要以上の保磁力の増強を図ることに起因して十分なコスト削減を達成することができない。
【０００７】
また、他の構造的な第２の改善としては、永久磁石の両端側に固定部材として配置されている樹脂内に磁性材料からなる短絡磁路を形成することにより、反磁界を形成して減磁抑制を図ることが提案されている（特許文献４）。しかしながら、樹脂内の短絡磁路は、幅が狭く容易に磁気飽和してしまうことから、ある程度の磁束密度で透磁率が低下してしまい短絡磁路として機能しなくなってしまう。この機能を確保するために、短絡磁路の幅を広くすると、漏れ磁束が増加してトルクに寄与する有効磁束量が減少してしまうとともに、回転子内に組み込んで永久磁石に着磁させる際に、着磁磁束の短絡路として機能してしまい、局所的に着磁率の低い領域が発生して減磁発生要因となってしまう。
【０００８】
また、構造的な第３の改善としては、減磁し易い永久磁石の両端側の磁化方向の厚さを厚くして減磁に対する耐性を向上させることが提案されている（特許文献５）。しかしながら、磁石の体積を大きくすることからコストの増加となる。また、着磁時には、両端側の磁化方向に厚い箇所で磁石と接している透磁率の高い内部側の領域に、着磁磁束が集中して（流れてしまい）十分に着磁できない領域ができるなど、思ったほどの効果を得ることができない。また、永久磁石を凹形状に形成することから、一体ものに成形する場合には、加工コストが掛かってしまう、という問題もある。
【０００９】
その一方で、このＩＰＭ構造を採用する電動回転機（モータ）にあっては、回転子内に永久磁石をＶ字型になるように埋め込んでｑ軸磁路を確保することによりリラクタンストルクを有効活用可能にすることから、この電動回転機におけるリラクタンストルクの比率がマグネットトルクよりも大きくなり、また、Ｖ字に永久磁石を埋め込んだ回転子におけるｑ軸とｄ軸のインダクタンス比（Ｌｑ／Ｌｄ）の突極比も大きくなって磁束波形に空間高調波が重畳し易くなる。なお、ｄ軸は、磁極が作る磁束の方向、すなわち、Ｖ字の永久磁石間の中心軸となり、ｑ軸は、そのｄ軸と電気的・磁気的に直交する、隣接する磁極（永久磁石）間の中心軸となる。
【００１０】
このため、このような電動回転機では、トルクの変動幅であるトルクリプル（torqｕe  ripple）が増加してしまう。そして、このトルクリプルの増加は、電動回転機の振動や電磁騒音の増加原因になり、そのうちの電磁騒音は、内燃機関の駆動に起因する騒音よりも比較的周波数帯が高く、電動回転機を搭載する車両の乗員にとって不快な音になることから、できるだけ低減するのが好ましい。
【００１１】
このことから、この種の電動回転機としては、トルクリプルなどを抑えることを目的として、回転子の外周面に軸方向に延在する溝を形成することが提案されている（例えば、特許文献６〜８）。
しかし、この特許文献６〜８にあっては、３相のＩＰＭモータ構造を採用する電動回転機の全ての条件に対応している訳ではなく、溝の形成位置をどのようにして決定すればよいのか、また、その溝幅はどの程度にすればよいのかなどの重要な形成条件が不明である。このため、他の構造に適用することができず、例えば、永久磁石の設置条件や固定子における後述のティース部の先端幅やスロットの開口幅などの各種条件に応じた最適条件にすることができない。増してや、永久磁石の減磁を抑制する効果を得ることもできない。
【先行技術文献】
【特許文献】
【００１２】
【特許文献１】特開２００８−  ９９４１８号公報
【特許文献２】特開２０１１−  １４６６８号公報
【特許文献３】特開２０１１−１３５６３８号公報
【特許文献４】特開２００９−２３２５２５号公報
【特許文献５】特開２００８−２８３８２３号公報
【特許文献６】特開２００４−３２８９５６号公報
【特許文献７】特開２００８−２０６３０８号公報
【特許文献８】特開２００８−３１２３１６号公報
【発明の概要】
【発明が解決しようとする課題】
【００１３】
そこで、本発明は、トルクの低下などを招くことなく、永久磁石の減磁を効果的に抑制して、耐久性に優れて高品質な回転駆動をすることのできる電動回転機を提供することを目的としている。
【課題を解決するための手段】
【００１４】
上記課題を解決する電動回転機に係る発明の第１の態様は、軸心の回転軸を一体回転させる回転子と、該回転子を回転自在に収容する固定子と、を備えて、前記固定子は、前記回転子の周回回転する外周面に向かって延在して該外周面に内周面側を対面させる複数本のティース部と、駆動電力を入力するコイルを前記ティース部に巻き掛ける空間であって該ティース部間に形成される複数のスロットと、を有し、前記回転子には、前記ティース部の対向面に磁気力を働かせるように複数の永久磁石が埋め込まれることにより、前記コイルへの通電時に発生する磁束が、前記ティース部内、当該ティース部背面側および前記回転子内を通過することによるリラクタンストルクおよび前記永久磁石との間で働く吸引力または反発力のマグネットトルクにより前記固定子内の前記回転子を回転駆動させる電動回転機であって、前記回転子側の１組の前記永久磁石と前記固定子側の１組の前記スロットとが対応する構成で、該１組の永久磁石側を１磁極としたときに、該１磁極毎の前記永久磁石で発生する減磁箇所に向かう前記コイルへの通電により発生する前記磁束の磁路途中に、磁気抵抗を大きくする磁気抵抗増大領域を形成することを特徴とするものである。
【００１５】
上記課題を解決する電動回転機に係る発明の第２の態様は、上記第１の態様の特定事項に加え、前記磁気抵抗増大領域として、前記回転子の前記ティース部に対面する外周面に、前記磁気抵抗を調整する調整溝が形成されていることを特徴とするものである。
上記課題を解決する電動回転機に係る発明の第３の態様は、上記第２の態様の特定事項に加え、前記回転子側には、当該外周面側に向かってＶ字型に開くように一対で前記１組の永久磁石を埋め込んで前記１磁極が構成され、前記固定子側には、６つで前記１組のスロットが構成されており、前記調整溝は、前記１磁極中心から両側に前記ティース部を１歯置いた両側均等の前記ティース部に対向する対面幅以内の幅で該ティース部と平行になるように形成されていることを特徴とするものである。
【００１６】
上記課題を解決する電動回転機に係る発明の第４の態様は、上記第２または第３の態様の特定事項に加え、前記調整溝は、前記１磁極中心に対する両側均等の電気角５６°の位置が最深部となるように形成されていることを特徴とするものである。
上記課題を解決する電動回転機に係る発明の第５の態様は、上記第２から第４のいずれか１つの態様の特定事項に加え、前記ティース部の内周面と前記回転子の外周面との間の対面間隔Ｄ１と、前記調整溝の最深部の深さＦとが、０．２≦Ｆ／Ｄ１≦０．４の範囲内になるように形成されていることを特徴とするものである。
【００１７】
上記課題を解決する電動回転機に係る発明の第６の態様は、上記第１の態様の特定事項に加え、前記磁気抵抗増大領域として、前記永久磁石を収容する空間を形成する内面と、当該永久磁石の外面との間に、前記磁気抵抗を調整する調整空隙が形成されていることを特徴とするものである。
上記課題を解決する電動回転機に係る発明の第７の態様は、上記第６の態様の特定事項に加え、前記回転子側には、当該外周面側に向かってＶ字型に開くように一対で前記１組の永久磁石を埋め込んで前記１磁極が構成され、前記調整空隙は、前記回転子の外周面に近接する側に前記ティース部と平行になるように形成されていることを特徴とするものである。
【発明の効果】
【００１８】
このように、本発明の態様によれば、固定子側のコイルに通電することより生成される磁束は、その固定子側のティース部から対面する回転子側に通過する際に、１磁極毎に、永久磁石で発生する減磁箇所に向かう磁路途中の磁気抵抗の大きな磁気抵抗増大領域を経由する。したがって、コイルによる磁束と永久磁石の磁束とが逆向きになる条件下で、永久磁石の高温領域がコイルによる磁束で減磁される影響（減磁効果）を小さくすることができ、信頼性高く効率のよい回転駆動を継続することができる。
【００１９】
例えば、磁気抵抗増大領域として、磁気抵抗を調整する調整溝を回転子のティース部に対面する外周面に平行に延在するように形成したり、磁気抵抗を調整する調整空隙を永久磁石に隣接して平行に延在するように形成するなどすればよい。その調整溝は、一対１組の永久磁石側の１磁極が１組６スロットに対応する構造の場合、１磁極中心から両側にティース部を１歯置いた両側均等の電気角５６°の位置を最深部とし、そのティース部に対する対面幅以内の幅で平行に延在するように形成し、また、そのティース部の内周面と回転子の外周面との間の対面間隔Ｄ１に対する最深部の深さＦの比率が、０．２〜０．４の範囲内になるように形成することにより、トルクリプルなどを当該構造においても効果的に低減して、振動や騒音と共に損失の少ない高品質な回転駆動を実現することができる。
【図面の簡単な説明】
【００２０】
【図１】本発明に係る電動回転機の第１実施形態を示す図であり、その基本構造を示す平面図である。
【図２】その回転子側に磁極がない場合の磁束発生の発生状況を示す平面図である。
【図３】本発明の課題を説明する一部拡大平面図である。
【図４】本発明の課題を説明する図３と異なる使用環境での一部拡大平面図である。
【図５】その実施形態の構成を示す一部拡大平面図である。
【図６】その実施形態の構成条件を示す一部拡大平面図である。
【図７】その基本構造における課題の解決を説明する磁束波形のグラフである。
【図８】その実施形態の構成の条件決定を説明するグラフである。
【図９】その実施形態の構成の条件決定を説明する図８と異なるグラフである。
【図１０】その構成による効果を検証するグラフである。
【図１１】その構成による効果を検証する図８と異なるグラフである。
【図１２】その構成による効果を検証する図８、図９と異なるグラフである。
【図１３】本発明に係る電動回転機の第２実施形態を示す図であり、その実施形態の構成を示す一部拡大平面図である。
【図１４】その実施形態の構成条件を示す一部拡大平面図である。
【発明を実施するための形態】
【００２１】
以下、図面を参照して、本発明の実施形態について詳細に説明する。図１〜図１２は本発明に係る電動回転機の第１実施形態を示す図である。
図１において、電動回転機（モータ）１０は、概略円筒形状に形成された固定子（ステータ）１１と、この固定子１１内に回転自在に収納されて軸心に一致する回転軸１３が固設されている回転子（ロータ）１２と、を備えており、例えば、ハイブリッド自動車や電気自動車において、内燃機関と同様の駆動源として、あるいは車輪ホイール内に搭載するのに好適な性能を有している。
【００２２】
固定子１１には、回転子１２の外周面１２ａにギャップＧを介して内周面１５ａ側を対面させるように軸心の法線方向に延在する複数本のステータティース１５が形成されている。このステータティース１５には、内部に対面収納されている回転子１２を回転駆動させる磁束の発生用コイル（不図示）を構成する３相巻線が分布巻により巻付形成されている。
【００２３】
回転子１２は、外周面１２ａに向かって開くＶ字型になるように、一対で１組の永久磁石１６を１磁極として埋め込むＩＰＭ（Interior  Permanent  Magnet）構造になるように作製されている。この回転子１２は、図面の表裏方向に延在する平板状の永久磁石１６の角部１６ａを対面状態に嵌め込んで不動状態に収容する空間１７ａと、その永久磁石１６の幅方向の両側方に位置して磁束の回り込みを制限するフラックスバリアとして機能する空間１７ｂ（以下ではフラックスバリア１７ｂともいう）とを形成するＶ字空間１７が外周面１２ａに対面するように形成されている。このＶ字空間１７の間には、永久磁石１６を高速回転時の遠心力に抗して位置決め保持することができるように、永久磁石１６間を連結支持するセンタブリッジ２０が形成されている。
【００２４】
この電動回転機１０は、ステータティース１５間の空間が、巻線を通して巻き掛けることによりコイルを形成するためのスロット１８を構成しており、８組の永久磁石１６側にそれぞれ６本のステータティース１５が対面するように、言い換えると、一対の永久磁石１６側が構成する１磁極に６スロット１８が対応するように構築されている。すなわち、電動回転機１０は、隣接する１磁極毎に永久磁石１６のＮ極とＳ極の表裏を交互にした、８極（４極対）、４８スロットで、単相分布巻５ピッチで巻線した３相ＩＰＭモータに作製されている。なお、図中のＮ極、Ｓ極の表示は、部材表面に存在する訳ではなく、説明のために図示するものである。
【００２５】
これにより、電動回転機１０は、固定子１１のスロット１８内のコイルに通電してステータティース１５から対面する回転子１２内に磁束を通したときに、永久磁石１６との間に生じる吸引力と反発力に起因するマグネットトルクに加えて、その磁束が通過する磁路を最短にしようとするリラクタンストルクとの総合トルクにより回転駆動することができ、その回転子１２と一体回転する回転軸１３から通電入力する電気的エネルギを機械的エネルギとして出力することができる。
【００２６】
ここで、この電動回転機１０は、図２に示すように、１磁極を構成する一対の永久磁石１６に対応する複数のステータティース１５毎に、固定子１１から回転子１２内に進入して通過する磁束ｍの磁路が均等配置されるように、スロット１８内に巻線コイルを分布巻きして形成されており、この磁路に沿うように、言い換えると、磁束ｍの形成を妨げないように永久磁石１６を収容するＶ字空間１７が形成されている。なお、固定子１１と回転子１２は、ケイ素鋼などの電磁鋼板材料の薄板を所望の出力トルクに応じた厚さになるように軸方向に重ねてボルト穴１９などを利用してネジ止めすることにより作製されている。
【００２７】
また、永久磁石１６は、内部の磁区内でＳ極からＮ極に向かう磁化方向に磁気モーメントが揃うように着磁されて磁力を備えており（図５を参照）、この磁気モーメントは、加熱されるほど熱的影響（外乱）を受けて乱れることにより磁力が弱まる場合があり、キュリー温度を超えると磁区を維持できなくなる不可逆領域が発生して、所謂、減磁箇所ができてしまう。また、永久磁石１６の磁区内の磁気モーメントは、加熱時に磁気的影響を受け易く、外部磁気の磁化方向に揃うことにより、その外部磁気の影響がなくなっても元の磁化方向に戻ることができずに、所謂、減磁箇所ができてしまう。
【００２８】
そして、電動回転機１０は、永久磁石１６を回転子１２内に埋め込むＩＰＭ構造の場合、一対の永久磁石１６の角部１６ａ、特に、回転子１２の外周面１２ａ側の外側角部１６ａｏと内側角部１６ａｉが、固定子１１側のスロット１８に形成されている巻線コイルに通電することにより生成される磁束ｍのベクトル方向ｍｖに対して対向する領域Ａ１（図３および図５を参照）に位置するので磁化方向の影響を受け易い。また、この永久磁石１６の外側角部１６ａｏと内側角部１６ａｉの反対側の領域Ａ２（図４および図５を参照）は、磁束ｍのベクトル方向ｍｖに対して対向してはいないが片側のみの母材であることから磁化方向の影響を受け易い。
【００２９】
このため、永久磁石１６は、図３に示すように、固定子１１のスロット１８内のコイルへの通電により回転子１２が反時計回り（ＣＣＷ）方向に回転駆動して、例えば、他のモータ構成部品の耐熱温度手前の１９０℃まで温度上昇したときには、ステータティース１５から回転子１２内に進入する磁束ｍに対向する領域Ａ１の外側角部１６ａｏに強い減磁箇所が発生し、また、内側角部１６ａｉにも多少の減磁が認められた。さらに、永久磁石１６は、図４に示すように、例えば、他のモータ構成部品の耐熱温度として設定されている２００℃まで温度上昇させたときには、領域Ａ１の外側角部１６ａｏと内側角部１６ａｉの減磁がより強くなるとともに、反対側の領域Ａ２の内側角部１６ａｉに強めの減磁が発生し、外側角部１６ａｏにも多少の減磁が認められるようになった。すなわち、永久磁石１６は、使用温度範囲内では、磁束ｍに対向する領域Ａ１の外側角部１６ａｏに強く減磁が現れることから何らかの対策が必要である。なお、永久磁石１６の外側角部１６ａｏと内側角部１６ａｉは、隣接する磁力の強さの影響に差があることから先端側ほど減磁が強く現れる。
【００３０】
そこで、電動回転機１０では、図５に示すように、ステータティース１５の内周面１５ａとの間の隙間Ｇを調整するために、凹状の調整溝２１が回転子１２の外周面１２ａに近接する永久磁石１６の外側角部１６ａｏ付近に形成されており、この調整溝２１は、ステータティース１５の内周面１５ａと平行に延在して対面するように形成されている。調整溝２１は、磁気抵抗増大領域として、ステータティース１５の内周面１５ａとの間の透磁率を下げることにより磁気抵抗を若干高くすることができ、進入する磁束ｍの強度を抑えて磁気的影響を小さくし減磁の発生を抑制するようになっている。
【００３１】
したがって、この電動回転機１０は、回転子１２の外周面１２ａに調整溝２１を形成するだけで、永久磁石１６に減磁箇所が発生し難く、信頼性高く効率のよい回転駆動を継続することができる。
また、この調整溝２１は、特定のステータティース１５に鎖交する磁束ｍに対する磁気抵抗を若干高くすることによりｎ次の空間高調波による特に高調波トルクを抑えることができ、後述するように、重畳する高調波成分を調整して高品質なトルク波形を得ることを可能にしている。なお、この図５では、調整溝２１の大きさを判別し易いように実際の比率よりも大きくデフォルメして図示している（図６も同様）。
【００３２】
この調整溝２１は、回転子１２の外周面１２ａに形成する最適な位置や形状を、有限要素法による電磁界解析を行って決定しており、内側（ｄ軸側）の斜面２１ｂと、外側の斜面２１ｃに挟まれている最深部２１ａの形成位置やその深さの最適条件が決定されて形成されている。
【００３３】
まず、電動回転機１０は、永久磁石１６を回転子１２内に埋め込むＩＰＭ構造の場合、固定子１１のステータティース１５の１歯における磁束の変化は、図７に示すように、矩形波に近似することができる。この磁束波形には、５次や７次などの低次の空間高調波が重畳することにより、鉄損や、トルクの変動幅であるトルクリプルが増加して、熱エネルギとしての浪費による効率低下と共に、振動や騒音の発生要因となっている。鉄損は、ヒステリシス損と渦電流損に分けることができる。ヒステリシス損は周波数と磁束密度の積であるとともに、渦電流損は周波数の２乗と磁束密度の積であることから、空間高調波を抑えることにより損失を低減することができ、電気エネルギの入力に対する駆動効率を向上させることができる。なお、図７では、縦軸を界磁磁束とし、横軸を時間にして、１つのステータティース１５に対して、Ｌ１間では磁束の鎖交がなく、Ｌ２間で磁束が正逆鎖交する、電気角１周期Ｔ（４Ｌ１＋２Ｌ２）における磁束波形の近似矩形波を図示している。
【００３４】
また、モータ（電動回転機）の電磁騒音は、ステータ（固定子）側に働く電磁力により、そのステータが振動することで発生しており、ステータに働く電磁力は、ロータ（回転子）とステータの磁気結合に起因する径方向電磁力と、トルクに起因する周方向電磁力とが存在する。径方向電磁力は、１ステータティース１５毎に、モータを線形磁気回路で近似して考察した場合には、磁束φ、磁気エネルギＷ、径方向電磁力ｆｒ、磁気抵抗Ｒｇ、磁束密度Ｂ、磁束鎖交面積Ｓ、エアギャップＧ間距離ｘ、磁路透磁率μとすると、磁気エネルギＷと径方向電磁力ｆｒは次の式（１）、式（２）のように表すことができる。
【００３５】
【数１】
2013162557.tif 000003
【００３６】
よって、空間高調波を考慮して磁束密度Ｂを次式（３）のように表したときには、径方向電磁力ｆｒは磁束密度Ｂの２乗を含むことから、空間高調波の重畳は径方向電磁力ｆｒの増加の要因となる。すなわち、空間高調波を低減することは、トルクリプルの低減、引いては、モータ電磁騒音の低減と共に駆動効率の向上を実現できることが鋭意研究検討することにより判明した。
【００３７】
【数２】
2013162557.tif 000004
【００３８】
また、ＩＰＭ構造の３相モータのトルクリプルは、１相１極磁束の空間高調波と、相電流に含まれる時間高調波とにより、電気角θにおける６ｆ次（ｆ＝１、２、３・・・：自然数）成分で発生することが鋭意研究検討することにより判明した。
詳細には、角速度ωｍ、ＵＶＷの各相誘起電圧Ｅｕ(t)、Ｅｖ(t)、Ｅｗ(t)、ＵＶＷの各相電流Ｉｕ(t)、Ｉｖ(t)、Ｉｗ(t)、としたときには、３相出力Ｐ(t)とトルクτ(t)は次の式（４）、式（５）のように表すことができる。
【００３９】
Ｐ(t)＝Ｅｕ(t)Ｉｕ(t)＋Ｅｖ(t)Ｉｖ(t)＋Ｅｗ(t)Ｉｗ(t)＝ωｍ・τ(t)  ……(4)
τ(t)＝[Ｅｕ(t)Ｉｕ(t)＋Ｅｖ(t)Ｉｖ(t)＋Ｅｗ(t)Ｉｗ(t)]／ωｍ  ……（5）
３相トルクは、Ｕ相、Ｖ相、Ｗ相のそれぞれのトルクの和であり、ｍを電流の高調波成分、ｎを電圧の高調波成分を表すものとし、Ｕ相電圧Ｅｕ(t)を次式（６）、Ｕ相電流Ｉｕ(t)を次式（７）と置くと、Ｕ相トルクτｕ(t)は次式（８）のように表すことができる。
【００４０】
【数３】
2013162557.tif 000005
【００４１】
ここで、相電流Ｉ(t)と相電圧Ｅ(t)は、いずれも対称波であるために「ｎ」と「ｍ」は奇数のみとなって、Ｕ相以外のＶ相トルクとＷ相トルクは、それぞれＵ相誘起電圧Ｅｕ(t)、Ｕ相電流Ｉｕ(t)に対して「＋２π／３（ｒａｄ）」、「−２π／３（ｒａｄ）」の位相差であることから、全体のトルクとしては、「６」の係数の項だけが残るようにキャンセル（相殺）されて、
６ｆ＝ｎ±ｍ（ｆ：自然数）、ｓ＝ｎαｎ＋ｍβｍ、ｔ＝ｎαｎ−ｍβｍ
と、置くと、次式（９）のように表すことができる。
【００４２】
【数４】
2013162557.tif 000006
【００４３】
また、誘起電圧は磁束を時間微分して求めることができることから、各誘起電圧に含まれる高調波の次数と１相１極磁束に含まれる高調波も同じ次数成分が発生することになり、その結果、３相交流モータにおいては、磁束（誘起電圧）に含まれる空間高調波次数ｎと相電流に含まれる時間高調波次数ｍとの組み合わせが６ｆになるときに、その６ｆ次成分のトルクリプルが発生していることが判明した。
【００４４】
ところで、３相モータのトルクリプルは、上述するように、１相１極における磁束波形における空間高調波ｎと相電流の時間高調波ｍにおいては、ｎ±ｍ＝６ｆ（ｆ：自然数）のときに発生することから、例えば、相電流の時間高調波ｍ＝１のみで正弦波近似した場合には、空間高調波ｎ＝５、７、１１、１３の次数の重畳が発生したときにトルクリプルが生じることになる。
【００４５】
この３相のＩＰＭ構造の場合には、図７に示すように、１つのステータティース１５に界磁磁束が鎖交する磁束波形がほぼ矩形波となるため、構造的にも、５次、７次の空間高調波ｎ（６ｆ次＝６次の高調波）は重畳し易く低減することは困難である。
なお、電気角１周期分（３６０°）は、回転子１２の外周面１２ａ側に対面する一対の永久磁石１６のＮ極・Ｓ極分に、言い換えると、１磁極（フラックスバリア１７ｂを含む一対の永久磁石１６毎）の回転中心に対する開口角度θ１の２倍に相当する。この電動回転機１０の８極４８スロットモータの構造（１磁極に対して６スロットが対応する構造）では、８極中の２極で１周期であることから、回転子１２の機械角１周期の３６０°回転は電気角４周期に相当する。
【００４６】
また、この電動回転機１０のように１磁極当たり６つのスロット１８が対応する３相ＩＰＭモータの場合には、１磁極対当たり１２個のスロット１８が対応することになり、電気角の１周期内においては、スロットオープン（コイルの挿入口となるステータティース１５の先端間の隙間）の空気における低い磁束の透磁率により磁気抵抗が１２箇所で大となる。この１２箇所のスロット１８の磁気抵抗により、１１次、１３次の空間高調波ｎが磁束波形に重畳することになる。
【００４７】
この１１次、１３次の空間高調波ｎは、一般にスロット高調波といって、例えば、永久磁石１６の軸方向における設置位置に応じて軸心を中心に捩じったスキュー角を持たせることにより、スロット１８における磁気抵抗のタイミングをずらして、１１次と１３次を低減することができる。しかしながら、回転子１２側にスキュー角を持たせるやり方では、上述したように、隣接する永久磁石１６間に段差が存在して着磁率が低下するという問題がある。
【００４８】
これに対して、この電動回転機１０では、図６に示すように、ステータティース１５の内周面１５ａと回転子１２の外周面１２ａとの間の隙間Ｇを調整する凹状の調整溝２１が形成されている。この調整溝２１は、そのステータティース１５の内周面１５ａに対面する回転子１２の外周面１２ａに形成するなどして透磁率を下げることによりそのステータティース１５に鎖交する磁束に対する磁気抵抗を高くすることができ、重畳する高調波成分を調整して５次、６次、１１次、１３次の空間高調波ｎによる特に高調波トルクを抑えて高品質なトルク波形を得ることをも可能にしている。
【００４９】
詳細には、調整溝２１は、例えば、回転子１２の外周面１２ａから最深部２１ａまでの溝深さＲｔ、ステータティース１５の内周面１５ａの対面幅に一致させた斜面２１ｂ、２１ｃの縁間隔の溝幅Ｔｓを一定として、有限要素法による電磁界解析を行って形成位置を決定しており、回転子１２の１磁極のｄ軸（一対の永久磁石１６間の中心線）を中心にする対称位置のステータティース１５に対面して、その最深部２１ａの位置の正逆方向のずれ量の変位角θ２をパラメータとしている。なお、本実施形態では、調整溝２１の溝幅Ｔｓをステータティース１５の内周面１５ａとの対面幅に一致させているが、適宜、その対面幅よりも小さくするなど調整してもよいが、磁束が通過する対面幅全面で磁気抵抗を調整するのが有効である。
【００５０】
この有限要素法による電磁界解析では、１１次、１３次の空間高調波ｎによるトルク波形におけるトルクリプル率やその空間高調波含有率を導出すると、図８のグラフに示すような結果が得られる。この図８のグラフからは、ｄ軸に対する正逆方向の変位角θ２は、５６°（電気角）でトルクリプル率と１１次、１３次の空間高調波ｎの含有率を最低レベルにすることができ、最適値であることが分かる。すなわち、調整溝２１は、回転子１２の１磁極のｄ軸に一致するステータティース１５を中心にして、一歯置いて隣接する対称位置のステータティース１５の内周面１５ａに対面する位置で、その最深部２１ａがそのｄ軸から正逆方向に５６°（変位角θ２）ずれた位置になるように形成されており、ステータティース１５の内周面１５ａと回転子１２の外周面１２ａとの間の隙間間隔ｘＬのエアギャップＧにおける磁気抵抗を調整している。なお、ここでのトルクリプル率は、次式で算出している。
【００５１】
トルクリプル率（％）＝（（最大トルク−最小トルク）／平均トルク）×１００
また、調整溝２１は、溝幅Ｔｓをそのままにして溝深さＲｔを変化させ、回転子１２の外周面１２ａとステータティース１５の内周面１５ａとの間のギャップＧの隙間間隔（対向面間距離）ｘＬに対するその溝深さＲｔの比率σ（Ｒｔ／ｘＬ）をパラメータとして、有限要素法による電磁界解析を行って、その溝深さＲｔを決定している。
【００５２】
この有限要素法による電磁界解析では、調整溝２１が形成されていない構成に対するトルク比率やそのトルクに重畳する６次、１２次の高調波トルク比率を導出すると、図９のグラフに示すような結果が得られる。この図９のグラフでは、σ＝０（調整溝２１なし）を基準にして、トルク比率は溝深さＲｔを深く（比率を大きく）するのに従ってほぼ変わりなく緩やかに下降する程度で安定し、その比率σ（Ｒｔ／ｘＬ）が４０％以上になると急激に低下してしまう。また、トルク波形における６次の空間高調波ｎのトルク比率は、反対に、溝深さＲｔを深くするのに従ってほぼ変わりなく緩やかに上昇する程度で安定し、その比率σ（Ｒｔ／ｘＬ）が４０％以上になると急激に上昇してしまう。さらに、トルク波形における１２次の空間高調波ｎのトルク比率は、反対に、溝深さＲｔを深くするのに従って急激に下降してその比率σ（Ｒｔ／ｘＬ）が２０％以上になるとほぼ変わりなく緩やかに上昇する程度で安定した後に、その比率σ（Ｒｔ／ｘＬ）が４０％以上になると急激に上昇してしまう。このことから、ステータティース１５のエアギャップＧの隙間間隔ｘＬ（Ｄ１）に対する比率σ（Ｒｔ／ｘＬ）は、次の条件１程度の範囲内に収めることによりトルクを大きく低下させることなく、１２次の高調波トルクの低減という効果を得ることができ、また、次の条件２程度の範囲内に狭めることによりその１２次の高調波トルクをより低減することができ、さらに、次の条件３の範囲内に絞ることにより１２次の高調波トルクをより効果的に低減することができる。
【００５３】
条件１：２０％≦σ（Ｒｔ／ｘＬ）≦４０％
条件２：２０％≦σ（Ｒｔ／ｘＬ）≦３０％
条件３：２０％≦σ（Ｒｔ／ｘＬ）≦２５％
この電動回転機１０では、例えば、上記の条件３の範囲内になるように固定子１１の外周面１２ａに形成する調整溝２１の深さＲｔを調整することにより、図１０に示すように、誘起電圧に重畳する特に６次の高調波トルクの要因となる５次、７次の空間高調波の含有率を低減することができ、低減の難しい６次の高調波トルクを効果的に低減できることが分かる。なお、鉄損は一般に空間高調波が多く重畳すると増加する傾向にあることから、その含有空間高調波の低減により鉄損も低減することができる。
【００５４】
また、この電動回転機１０では、図１１に示すように、短期にトルクが大きく急激に変動するためにドライバなどが不快に感じるトルクリプルを、より抑制して緩やかな変動の安定したトルク出力に調整できることが分かる。例えば、この図１１からは、調整溝２１のない場合よりもトルクの脈動を約３０％低減することができていることが分かる。
また、この電動回転機１０では、図１２に示すように、トルク波形のフーリエ級数の展開を行って確認することによっても、調整溝２１の効果を明確に確認することができ、高調波トルクの６次成分を低減するとともに、高調波トルクの１２次成分をも大きく低減することができていることが分かる。
【００５５】
したがって、この電動回転機１０では、回転子１２の１磁極のｄ軸に一致するステータティース１５を中心にして、一歯置いて隣接する対称位置のステータティース１５の内周面１５ａに対面する回転子１２の外周面１２ａに、そのｄ軸の正逆方向の５６°（電気角θ２）が最深部２１ａとなる調整溝２１を形成して、その溝深さＲｔをステータティース１５のエアギャップＧの隙間間隔ｘＬに対して、２０％≦σ（Ｒｔ／ｘＬ）≦４０％の範囲内になるように、好ましくは、２０％≦σ（Ｒｔ／ｘＬ）≦３０％、より好ましくは、２０％≦σ（Ｒｔ／ｘＬ）≦２５％の条件を満たすように形成するだけで、高調波トルクの６次、１２次成分を大きく低減してトルクリプルを効果的に低減することができる。
【００５６】
このように本実施形態においては、固定子１１のステータティース１５の内周面１５ａと同一幅以下、できれば効果的に磁気抵抗増大領域として機能するように同一幅の調整溝２１を形成し、その調整溝２１としては、回転子１２の１磁極のｄ軸に一致するステータティース１５から一歯置いて隣接する対称位置で、そのｄ軸から両側均等の電気角５６°の位置が最深部２１ａとなって、ステータティース１５のエアギャップＧの隙間間隔ｘＬに対する溝深さＲｔの比率σ（Ｒｔ／ｘＬ）が２０％〜４０％の範囲内になるように形成している。これにより、回転駆動時にステータティース１５から永久磁石１６の角部１６ａにおける磁束に向かって逆向きに進入するコイルの磁束に対する磁気抵抗を、エアギャップＧの空間を調整溝（磁気抵抗増大領域）２１により拡大して効果的に増大させることができ、そのコイルの磁束による永久磁石１６の角部１６ａの減磁を軽減することができる。
【００５７】
また、トルク波形に重畳する６次、１２次の高調波トルクを低減してトルクリプルを抑えることができ、トルクの変動を小さくすることができる。
したがって、電動回転機１０を振動や騒音を少なく高品質回転をさせることができるとともに、損失を少なく高効率に回転駆動させることができ、信頼性高く効率や品質のよい回転駆動を継続することができる。
【００５８】
次に、図１３および図１４は本発明に係る電動回転機の第２実施形態を示す図である。ここで、本実施形態は、上述実施形態と略同様に構成されているので、同様の構成には同一の符号を付して特徴部分を説明する。
図１３において、電動回転機１０は、固定子１１と、回転子１２と、回転軸１３と、を備えて構成されており、本実施形態では上述実施形態における調整溝２１に代わって磁気抵抗増大領域として調整空隙３１が形成されている。なお、調整空隙３１は、上述実施形態と同様に、１磁極におけるｄ軸を中心にする対称位置に形成されており、反時計回り（ＣＣＷ）だけでなく、上述実施形態では特に言及していないが、時計回り（ＣＷ）方向に回転駆動させる際の減磁領域Ａ１の発生をも制限して、１磁極中における磁束（磁路）のバランスを調整するための調整空隙３１を形成する場合を図示している。
【００５９】
調整空隙３１は、図１４に示すように、回転子１２内の永久磁石１６を収容してフラックスバリアとしても機能するＶ字空間１７（空間１７ａ、１７ｂ）を、その永久磁石１６の幅方向平面１６ｂと厚さ方向平面１６ｃに挟まれている外側角部１６ａｏに対面する壁面を離隔方向に後退させることにより形成されている。この調整空隙３１は、フラックスバリア１７ｂを形成するベース壁面１７ｃを永久磁石１６の幅方向平面１６ｂに対面する領域まで延長した延長壁面１７ｄを備える形状に形成されて空隙空間として存在することにより、そのフラックスバリア１７ｂと共に磁束の進入を制限（抑制）する磁気抵抗増大領域として機能する。
【００６０】
詳細には、調整空隙３１は、磁気抵抗増大空間として有効に機能するように延長壁面１７ｃの寸法形状が有限要素法による電磁界解析により設定されており、永久磁石１６の厚さＬｍに対して、延長壁面１７ｄの永久磁石１６の幅方向平面１６ｂに対面する対面幅Ｒｗと、その幅方向平面１６ｂから離隔する離隔高さＲｈとの寸法を次のようにして決定している。
【００６１】
永久磁石１６の保磁力は、厚さＬｍに比例して増加することから、逆向きの磁束に対する耐減磁特性を確保するための離隔高さＲｈはその厚さＬｍに対して反比例することになり、例えば、図４に示すように、回転子１２の回転駆動により２００℃まで上昇したときに、厚さＬｍが６ｍｍの永久磁石１６の外側角部１６ａｏに発生した減磁領域Ａ１の幅方向平面１６ｂにおける減磁幅Ｄｗが１．３ｍｍの場合には、対面幅Ｒｗをその減磁幅Ｄｗに一致させるとともに、離隔高さＲｈを変数にして電磁界解析を行ったところ、離隔高さＲｈが０．５ｍｍで復帰不能となる不可逆減磁の発生が認められなくなった。このことから、永久磁石１６の厚さＬｍが６ｍｍで、減磁幅Ｄｗが１．３ｍｍの場合には、調整空隙３１は、次の寸法形状にすることにより、永久磁石１６の外側角部１６ａｏにおける不可逆減磁の発生を回避することができる。
【００６２】
対面幅Ｒｗ＝１．３ｍｍ以上、離隔高さＲｈ＝３／Ｌｍ
なお、永久磁石１６内の内部の渦電流は、表皮効果の影響を受けて外端部分を流れることになり、熱損失はその外端部分に集中することから、永久磁石１６における減磁領域の減磁幅Ｄｗが永久磁石１６の長さＬｂの大小に応じて変化することになる。さらに、その永久磁石１６の外側角部１６ａｏに向かう逆磁界ベクトルは、ステータティース１５の内周面１５ａの幅や磁石開口度θ１と共にこれらの位置関係に大きく依存し、また、永久磁石１６自体の特性にも依ることから、調整空隙３１の形状寸法は、電磁界解析により導出するのが簡易である。
【００６３】
ここで提示する上記条件は、２０℃での残留磁束密度Ｂｒが約１．２５Ｔ（テスラ）で、保磁力Ｈｃｂが９６５．７５ｋＡ／ｍのネオジム磁石を採用して、厚さＬｍが６ｍｍであるために保磁力５７９５Ａであるのに対して、コイルターン数１０を４列並列させて最大電流値５００Ａｐｋ（実効値（５００／√２）≒３５３．６Ａｒｍｓ）を印加し発生させる回転磁界の逆磁界の基本波成分が８８４Ａ（（実効値／４）×１０）となる駆動環境の場合に最適となる形状寸法である。また、回転子１２の温度上昇２００℃を念頭に上記条件を導出するが、この温度は他のモータの構成要素の許容耐熱温度に依存していることから、当該温度に限定する必要はなく、適宜設定すればよいパラメータである。
【００６４】
したがって、本実施形態においても、この電動回転機１０は、上述実施形態と同様に、回転子１２の内部に調整空隙３１を形成するだけで、回転子１２側の永久磁石１６の外側角部１６ａｏ周りの透磁率を下げて、固定子１１側のステータティース１５に鎖交する磁束に対する磁気抵抗を高くすることができ、永久磁石１６に減磁箇所が発生し難く、信頼性高く効率のよい回転駆動を継続することができる。
【００６５】
このように本実施形態においては、回転子１２側の永久磁石１６で減磁が発生する領域Ａ１を覆う調整空隙３１を形成しており、上述実施形態と同様に、回転駆動時にステータティース１５から永久磁石１６の外側角部１６ａｏに向かって逆向きに進入するコイルの磁束に対して調整空隙３１が磁気抵抗増大領域として効果的に機能することができ、そのコイルの磁束による永久磁石１６の角部１６ａｏの減磁を軽減することができる。したがって、電動回転機１０を損失少なく高効率に回転駆動させることができ、信頼性高く効率のよい回転駆動を継続することができる。
【００６６】
ここで、上述実施形態の電動回転機１０では、モータの構成要素の許容耐熱温度が２００℃であって１９０℃の駆動環境で効果的に機能すれば十分であることから、永久磁石１６の外側角部１６ａｏのみを対象にして調整溝２１や調整空隙３１を形成する場合を一例にして説明するが、これに限るものではなく、内側角部１６ａｉを対象に形成してもよく、使用環境に応じて調整溝や調整空隙を同様に形成すればよい。
【００６７】
また、上述２実施形態では、永久磁石１６をＶ字型にして回転子１２内に埋め込む構造を採用する場合を一例に説明するが、これに限るものではなく、例えば、永久磁石を回転子１２の外周面１２ａに対して平板状に対面する状態に埋め込む平板配置の場合にも適用することができ、同様の作用効果を得ることができる。また、８極４８スロットモータの構成の電動回転機１０を一例にして、１磁極１対が１周期（３６０°）に対応する角度を電気角として説明するが、これに限るものではなく、１磁極に対して６スロットが対応する他のモータ構造にも適用することができ、例えば、６極３６スロット、４極２４スロット、１０極６０スロットのモータ構造にもそのまま適用することができる。
【００６８】
本発明の範囲は、図示され記載された例示的な実施形態に限定されるものではなく、本発明が目的とするものと均等な効果をもたらす全ての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００６９】
これまで本発明の一実施形態について説明したが、本発明は上述の実施形態に限定されず、その技術的思想の範囲内において種々異なる形態にて実施されてよいことは言うまでもない。
【符号の説明】
【００７０】
１０   電動回転機
１１   固定子
１２   回転子
１２ａ 外周面
１３   回転軸
１５   ステータティース
１５ａ 内周面
１６   永久磁石
１６ａ 角部
１６ａｉ      内側角部
１６ａｏ      外側角部
１７   Ｖ字空間
１７ｂ フラックスバリア
１８   スロット
２０   センタブリッジ
２１   調整溝
２１ａ 最深部
２１ｂ、２１ｃ       斜面
３１   調整空隙
Ａ１、Ａ２    減磁領域
Ｇ     エアギャップ
Ｒｔ   溝深さ
Ｔｓ   溝幅
ｘＬ、ｘＳ    隙間間隔
θ１   開口角度
θ２   変位角
【図１】
2013162557.tif 000007
【図２】
2013162557.tif 000008
【図３】
2013162557.tif 000009
【図４】
2013162557.tif 000010
【図５】
2013162557.tif 000011
【図６】
2013162557.tif 000012
【図７】
2013162557.tif 000013
【図８】
2013162557.tif 000014
【図９】
2013162557.tif 000015
【図１０】
2013162557.tif 000016
【図１１】
2013162557.tif 000017
【図１２】
2013162557.tif 000018
【図１３】
2013162557.tif 000019
【図１４】
2013162557.tif 000020